(57)【特許請求の範囲】
【請求項１】
浴水を浴槽と清浄化機構の間を循環させて浄化する浴水清浄化装置において、
前記浴水を導入し、加熱して蓄えるための手段と、
前記蓄えるための手段からの湯を浴槽に供給するための手段と、
時間を認識するための計時手段と、
該蓄えるための手段において浴水を加熱するための手段と、
前記蓄えるための手段に蓄えられている水量と温度とから、蓄えるための手段に蓄えられている浴水の温度を所定温度に加熱するまでの時間を演算し、深夜電力時間帯の終了時刻からさかのぼって通電開始時刻を決定する演算手段と、
前記計時手段により該演算された通電開始時刻の到来を検出して、前記加熱するための手段の通電を開始して浴水を加熱するための加熱制御手段と、
を備えたことを特徴とする浴水浄化装置。
【請求項２】
前記加熱するための手段の非通電状態を検出するための手段と、
前記計時手段により認識される、前記通電開始時刻から前記深夜電力時間帯の終了時刻までの間に、前記検出するための手段から非通電状態が検出された時に、通電異常を告知するための手段と、
を備えたことを特徴とする浴水浄化装置。
【発明の詳細な説明】
【０００１】
【発明の属する技術分野】
この発明は浴水浄化装置に関する。
浴槽の湯を汲み上げて所定の浄化機構に通した上で、再び浴槽に戻す行程を繰り返して、浴槽の湯を絶えず清浄に保つ浴水浄化装置が近年広く普及している。
このような浴水浄化装置においては、循環ポンプにより浴水を強制的に循環させ、活性炭等によるろ過やオゾン等による殺菌を行うと同時に電気ヒータにより所定の温度を保つようになっているが、近年深夜電力を用いて低コストで温度を保つ装置が提案されている。
深夜電力を用いる場合は、通常蓄熱槽を用い、ここに深夜電力により低コストで加熱した高温水を溜めておき、適宜この高温水を浴槽に供給して浴水の温度を維持する構成になっている。
ところで、深夜電力は時間帯が予め決められており、その時間帯内にのみ電力が供給されるようになっているが、従来の蓄熱槽は深夜電力開始時点から加熱を開始し、所定温度に達したら加熱を停止する構成が一般的であった。
【０００２】
【発明が解決しようとする課題】
しかし、浴水浄化装置は深夜の時間帯にも使用される場合が多く、加熱完了後に蓄熱槽の湯が使われる場合も多く、蓄熱槽に十分な湯が蓄えられない問題があった。
そのため、深夜電力の時間帯のなるべく遅い時間に加熱を開始することが望ましいが、このような通電制御を行った場合、深夜電力時間帯内に所定温度まで加熱できない危険がある。また、時計に狂いが生じ、所定温度に達する前に深夜電力が終了してしまい、蓄熱槽における加熱不十分が生じる可能性もある。
本発明は上記した従来技術の問題点を解決することを目的とする。
【０００３】
【課題を解決するための手段】
上記目的を達成するために本発明は、浴水を浴槽と清浄化機構の間を循環させて浄化する浴水清浄化装置において、前記浴水を導入し、加熱して蓄えるための手段と、前記蓄えるための手段からの湯を浴槽に供給するための手段と、時間を認識するための計時手段と、該蓄えるための手段において浴水を加熱するための手段と、前記蓄えるための手段に蓄えられている水量と温度とから、蓄えるための手段に蓄えられている浴水の温度を所定温度に加熱するまでの時間を演算し、深夜電力時間帯の終了時刻からさかのぼって通電開始時刻を決定する演算手段と、前記計時手段により該演算された通電開始時刻の到来を検出して、前記加熱するための手段の通電を開始して浴水を加熱するための加熱制御手段と、を備えたことを特徴とする。
以上の構成において加熱するための手段は深夜電力時間帯の終了時刻からさかのぼった開始時刻に通電開始を行うことができ、加熱時間を終了時刻側にずらすことが可能になる。 また、前記加熱するための手段の非通電状態を検出するための手段と、前記計時手段により認識される、前記通電開始時刻から前記深夜電力時間帯の終了時刻までの間に、前記検出するための手段から非通電状態が検出された時に、通電異常を告知するための手段と、を備えることも可能であり、検出するための手段により非通電が検出された時に、計時手段に狂いが生じたと判断し、通電異常を告知することが可能になる。この告知は音声や表示による伝達或いはその両方による伝達等により行うことが可能である。
【０００４】
【発明の実施の形態】
以下本発明の実施の形態を図面に基づいて説明する。
図１において、本体１は通常屋外に設置され、浴槽２とは、入水管３、出水管４によりつながっている。使用者は浴室の壁面に取り付けられたリモコン５により、運転、停止及び浴水の保温を行うか否かの選択、浴水の保温温度の設定等を行うようになっている。リモコン５は、本体内の制御ボード６とコードにより接続されており、本体内の運転状態・湯温・時刻・各種警告等の表示を表示装置５０において行うようになっている。入水管３の先の浴槽内には、プレフィルター７を内蔵した吸水口８が接続され、髪の毛等を取り除いた浴水が本体に吸い込まれるようになっている。
【０００５】
入水管３の他方の本体内には、循環ポンプ９が取り付けられ、また入水管３の途中には、循環ポンプ停止時に本体内の浴水が浴槽内に戻らないように、水用逆止弁１０が取り付けられている。循環ポンプ９出水側にて流路が２方向に分かれ、一方は絞り１１を介して濾過材タンク１２へ、他方は蓄熱槽１３の下部の入水側にホースでつながれている。
【０００６】
濾過材タンク１２の中には、セラミックボール・活性炭等の濾過材１５が入っており、浴水の浄化を行う。濾過材が長期の使用で目詰まりした場合、タンク蓋１６を開けて、濾過材を取り出し、水道水にて手洗いできるようになっている。濾過材タンク１２の出水側は、ミキシングバルブ１７の一方の入水側にホースでつながれている。
【０００７】
なお循環ポンプ９には並列に水不足センサ１４が設けられ、浴水の水位低下を検出できるようになっている。この水不足センサ１４は循環ポンプ９の差圧を検知する方式のもので、一方のチューブは循環ポンプ９入水側に、他方のチューブは循環ポンプ９出水側に接続されている。
【０００８】
蓄熱槽１３上部はミキシングバルブ１７の他方の入水側とホースにて接続されている。ミキシングバルブ１７は、濾過材タンク１２を通った浴水と蓄熱槽１３上部より出てきた熱水を、内部の弁を調節して、適切な所定の湯温にして、ジェットノズル２１より浴槽２に吐出させるようになっている。
入水管３には、入水側湯温センサ２０が取り付けられており、使用者が設定した保温温度より、入水側湯温センサ２０で検知した浴水温度が下がった場合は、制御ボード６はミキシングバルブ１７を制御して、浴水と熱水を混合して所定温度にした上で浴槽に吐出し、浴水温度が保温温度より所定値（０．５°Ｃ程度）上回ったら、浴水のみを浴槽に吐出する。ミキシングバルブ１７の弁は、パルスモータ等で制御され、図２に示すようにその初期位相を決定するための位相検知センサが内蔵されている。
尚、蓄熱槽１３から吐出した熱水分だけ浴水が蓄熱槽１３に入るが、浴水（４０°Ｃ程度）と熱水は密度が異なるため蓄熱槽１３内で浴水と熱水は混合しない。
【０００９】
ミキシングバルブ１７の吐出側は、出水管４を経由してジェットノズル２１につながっている。ジェットノズル２１にはジェット用電磁弁２３、オゾン発生器２４がエアーチューブ２５を介して接続され、入浴時以外のクリーン運転中には、ジェット用電磁弁２３とオゾン発生器２４をオンして、オゾンの混じった空気をジェットノズル２１より出して、浴水を殺菌するようになっている。入浴時は、オゾン発生器２４をオフし、リモコン５のジェットキーによりジェット用電磁弁２３をオンオフして、ジェット有り無しを選べるようにしている。ジェットノズル２１は、内径を細くして空気が混入するようになっている。
【００１０】
蓄熱槽１３には下部に蓄熱ヒータ１８と蓄熱槽下部湯温センサ１９が装着されており、所定の温度まで深夜電力を利用して、槽内の浴水を所定の温度に加熱し熱水にするようになっている。また、給水量センサ２８が設けられており、蓄熱槽１３に蓄えられている水量を検出し、この水量と蓄熱槽下部湯温センサ１９により検出された温度とから所定温度に沸き上げるための時間を演算するようになっている。この演算は加熱制御装置２６により行う。
【００１１】
前記制御ボード６には時計２７と加熱制御装置２６が設けられている。加熱制御装置２６は前記した沸き上げるまでの時間を計算し、深夜電力終了時刻から該時間を引いて通電開始時刻を決定するようになっている。そして、時計２７により該通電開始時刻の到来を検出したら、蓄熱ヒータ１８を制御して、通電を開始し、時計２７により深夜電力終了時刻まで加熱を実行し、所定温度の熱水を得るようになっている。
【００１２】
蓄熱ヒータ１８には電流検出センサ３０が設けられており、ここで蓄熱ヒータ１８の非通電状態を検出するようになっている。加熱制御装置２６は時計２７の計時による通電開始時刻から深夜電力終了時刻の間に非通電状態を電流検出センサ３０から検出すると、時計２７に狂いがありと判断し、通電異常の警告を表示装置５０に表示するようになっている。この表示に変えて或いは表示と共に警報などの音声による告知を行っても良い。
以上の構成により、時計２７の狂いが生じて、通電開始が遅れて実際の通電終了時刻になっても、通電指令はなされているものの実際の電力の供給は停止されているという事態を使用者に告知することが可能になる。使用者は、この告知により時計２７を修正する等の適切な措置をとることが可能になる。
【００１３】
図２に電気ブロック図を示す。
リモコン５は、本体１内の制御ボード６とは通信コード１０１により接続されており、通信インターフェース１０２を介して、ＣＰＵ１０３に接続されている。ＣＰＵ１０３はＲＯＭ、ＲＡＭを内蔵したワンチップマイコンである。キー１０４と制御ボード内のＣＰＵ２０１からの情報により、ドライバ１０５を介して、ＬＣＤ１０６、ＬＥＤ１０７に所定の表示をすると共に、ブザー１０８を鳴らす。キー１０４には、運転キー、ジェットキー、入浴キー、保温を行うか否か選択する保温キー、及びその保温温度設定キー等がある。
【００１４】
本体内の制御ボード６には、水不足センサ１４、給水量センサ２８、入水側湯温センサ２０、蓄熱槽下部湯温センサ１９、ミキシングバルブ１７の位相検知センサ等と、出力装置である蓄熱ヒータ１８、循環ポンプ９、殺菌装置であるオゾン発生器２４、ジェット用電磁弁２３、ミキシングバルブ１７等がリレーやドライバ等を介して接続されている。また、電流検出センサ３０と時計２７が接続されている。
更にＡＣ１００Ｖ交流電源側漏電ブレーカ２０２を経由したＡＣ１００Ｖ、トランス２０３及びＡＣ２００Ｖ深夜電力側漏電ブレーカ２０４が接続されている。
【００１５】
次に制御ボード６内の説明を行う。
直流電源２０５はトランス２次電圧を受け、回路電圧Ｖｃｃ（＋５Ｖ）、殺菌装置やジェット用電磁弁の電源であるＶｄ（＋１２Ｖ）、ミキシングバルブ１７のステッピングモータの電源であるＶｂ（＋３６Ｖ）を発生している。リモコン５側からの通信コード１０１は、通信インタフェース２０６を介して、ＣＰＵ２０１に接続され、リモコン側のＣＰＵ１０３と情報交換を行うようになっている。各湯温センサ２０、１９は、必要とする温度範囲にわたって電圧が変化するように、電圧変換器２０７を経由してＣＰＵ２０１のＡＤ入力端子につながっている。
【００１６】
リモコン５内の運転キーを押して、運転モードにすると、リレー２１１がオンして循環ポンプ９が通電され、浴水を循環する。通常は、ドライバ２１２をオンしてオゾン発生器２４を動作させて浴水を殺菌しているが、リモコン内の入浴キーを押すと入浴モードとなり、１時間の間ドライバ２１２をオフして殺菌装置を止め、使用者がオゾンをかがないようにしている。
【００１７】
入浴モード中、ジェットキーを押すとドライバ２１３がオンしてジェット用電磁弁２３に通電し、空気をジェットノズルに与え泡のある水流を楽しめるようになっている。そしてもう１度押すとドライバ２１３はオフして、泡のない水流となる。なお、入浴キーを押して１時間以降はクリーンモードに自動的に替わり、ドライバ２１２、ドライバ２１３がオンしてオゾンの混じった空気がジェットノズルに与えられ、浴水が殺菌される。
【００１８】
電源投入時にミキシングバルブ１７内のモータを動かし、位相検知センサの信号を受けて初期セットする。循環ポンプ９運転中は、リモコン内の温度設定キーにより設定された保温温度と、入水側湯温センサ２０の検知温度を比較し、ミキシングバルブ１７内のモータを動かし、弁を調節して浴水温度を保温温度〜保温温度＋０．５°Ｃの範囲に制御するように構成されている。
なおジェット用電磁弁２３、オゾン発生器２４がジェットノズル２１にエアーチューブ２５を介して接続され、入浴時以外のクリーン運転中には、ジェット用電磁弁２３とオゾン発生器２４をオンして、オゾンの混じった空気をジェットノズル２１より出して、浴水を殺菌するようになっている。入浴時は、オゾン発生器２４をオフし、リモコン５のジェットキーによりジェット用電磁弁２３をオンオフして、ジェット有り無しを選べるようにしている。ジェットノズル２１は、内径を細くして空気が混入するようになっている。
なお、２１６はＥＥＰＲＯＭで使用者の設定した保温温度や運転モード等の設定値を記憶しており、停電後の再通電時に再設定しなくても済むようにしている。
【００１９】
深夜電力通電開始検知器２０８は、深夜電力ＡＣ２００Ｖの通電開始を検知し、加熱制御装置２６は時計２７によりヒータ通電開始時刻が到来したら、ドライバ２０９により、蓄熱用ヒータリレー２１０を制御する構成となっている。即ち深夜電力通電開始を検知（午後１１時）するとその時の蓄熱槽下部湯温センサ１９からの蓄熱槽１３下部の湯温と給水量センサ２８からの湯量を調べて、蓄熱槽内の湯を所定温度まで沸きあげるのに必要な通電時間を算出し、深夜電力終了時刻から逆算してリレー２１０のオン時間Ｔを決定するようになっている。
【００２０】
加熱制御装置２６は、電流検出センサ３０から蓄熱ヒータ１８の非通電状態を検出し、時計２７で計時する通電時間帯の間に蓄熱ヒータ１８の非通電があった場合、リモコン５側に信号を送り、ＬＣＤ１０６により通電異常の表示を行わせると共に、ブザー１０８により警告音を発するようになっている。
【００２１】
図３により、蓄熱槽１３の加熱動作を説明する。
深夜電力時間帯か否か判断し（ステップＳ１）、深夜電力時間帯であれば給水量センサ２８からの給水量と蓄熱槽下部湯温センサ１９からの給水温度により、蓄熱ヒータ１８への通電時間が演算され、通電開始時間が決定される（ステップＳ２）。そして、該通電開始時間から深夜電力終了時刻までのヒータ通電時間帯に属するか否か時計２７により判断する（ステップＳ３）。時間帯に属していれば、蓄熱ヒータ１８をオンとし（ステップＳ４）、属していない場合には蓄熱ヒータ１８をオフとして（ステップＳ７）、ステップＳ１に戻る。
蓄熱ヒータ１８をオンとしたら電流検出センサ３０により、非通電を検出し（ステップＳ５）、通電されていない場合には、通電異常を表示装置５０に表示する（ステップＳ６）。
使用者はこの表示により通電異常を確認したら、時計２７の修正やその他の異常箇所の確認などを行う。
以上の構成により、時計２７の狂いによる通電不能状態を早急に回避することが可能になり、蓄熱槽１３における適切な加熱を行うことが可能になる。
【００２２】
【発明の効果】
以上説明したように本発明の浴水浄化装置によれば、深夜電力を用いて蓄えるための手段における加熱を行うに際して、深夜電力時間帯の遅い時間に加熱を行うことがでる。また装置が認識する該時間帯に通電異常が生じた場合には、使用者に告知することができ、使用者はこれに適切に対処可能になる効果がある。
【図面の簡単な説明】
【図１】本発明の一実施形態を示す概略ブロック図。
【図２】本発明の一実施形態における、本体１、リモコン５、制御ボード６の構成を示すブロック図。
【図３】本発明の一実施形態の動作を説明するフローチャート図。
【符号の説明】
１：本体、２：浴槽、３：入水管、４：出水管、５：リモコン、６：制御ボード、７：プレフィルター、８：吸水口、９：循環ポンプ、１０：水用逆止弁、１１：絞り、１２：濾過材タンク、１３：蓄熱槽、１４：水不足センサ、１５：濾過材、１６：タンク蓋、１７：ミキシングバルブ、１８：蓄熱ヒータ、１９：蓄熱槽下部湯温センサ、２０：入水側湯温センサ、２１：ジェットノズル、２２：出水側湯温センサ、２３：ジェット用電磁弁、２４：オゾン発生器、２５：エアーチューブ、２６：加熱制御装置、２７：時計、２８：給水量センサ、３０：電流検出センサ３０、５０：表示装置、１０１：通信コード、１０２：通信インターフェース、１０３：ＣＰＵ、１０４：キー、１０５：ドライバ、１０６：ＬＣＤ、１０７：ＬＥＤ、１０８：ブザー、２０１：ＣＰＵ、２０２：漏電ブレーカ、２０３：トランス、２０４：漏電ブレーカ、２０５：直流電源、２０６：通信インタフェース、２０７：電圧変換器、２０８：深夜電力通電開始検知器、２０９：ドライバ、２１０：蓄熱用ヒータリレー、２１１：リレー、２１２：ドライバ、２１３：ドライバ、２１４：ドライバ、２１５：波形整形回路、２１６：ＥＥＰＲＯＭ、２１７：ドライバ。
【図１】
0003745834.tif 000002
【図２】
0003745834.tif 000003
【図３】
0003745834.tif 000004